(57)【要約】【課題】携帯端末装置内のＨＤＤに保存されたデータを携帯端末装置外部のサーバに送信してデータをバックアップする際に、バックアップ時間を短縮し、かつ、消費電力と通信コストとを低減することができる携帯端末装置を提供する。【解決手段】データを保存するＨＤＤ５と、ＨＤＤ５に保存されたデータを無線により定期的に送信することが可能な無線ＬＡＮ通信制御部４ｂ及びアンテナ３ｂとを備え、無線ＬＡＮ通信制御部４ｂ、アンテナ３ｂを介して最後に送信された送信済みデータから更新されており、かつ、バックアップ対象として指定された、ＨＤＤ５に保存されている保存データのみを送信することを特徴とする。【選択図】図１
2008147787.tif 000002
【特許請求の範囲】
【請求項１】
データを保存するハードディスクと、
前記ハードディスクに保存された前記データを無線により定期的に送信することが可能な無線ＬＡＮ通信部とを備え、
前記無線ＬＡＮ通信部から最後に送信された送信済みデータから更新されており、かつ、バックアップ対象として指定された前記ハードディスクに保存されている保存データのみを前記無線ＬＡＮ通信部から送信することを特徴とする、携帯端末装置。
【請求項２】
前記保存データの最終保存時間と、前記無線ＬＡＮ通信部から最後に前記データを送信した時間とを比較することで、前記送信済みデータから前記保存データが更新されているか否かを判定することを特徴とする、請求項１に記載の携帯端末装置。
【請求項３】
前記保存データと前記送信済みデータとの差分のデータのみを、前記無線ＬＡＮ通信部から送信することを特徴とする、請求項１に記載の携帯端末装置。
【請求項４】
前記保存データには優先度が設定されており、前記優先度が高く設定された前記保存データから順に、前記無線ＬＡＮ通信部から送信することを特徴とする、請求項１から請求項３のいずれか一項に記載の携帯端末装置。
【請求項５】
前記優先度は随時変更可能であることを特徴とする、請求項４に記載の携帯端末装置。
【発明の詳細な説明】
【技術分野】
【０００１】
本発明は、携帯端末装置に関し、特に、内蔵するハードディスクに登録したデータを定期的かつ選択的にサーバに送信して蓄積する携帯端末装置に関する。
【背景技術】
【０００２】
従来、無線電波の送受信を行う携帯端末装置は、電話網、インターネット網、またはローカルエリアネットワーク網などを使用して様々なデータ（テキストデータ、画像データ、音声データなど）のダウンロードを行うことが可能である。同時に、それらダウンロードしたデータを携帯端末装置内のメモリやハードディスク（以下、ＨＤＤと示す）に保存することが可能である。
【０００３】
一方、携帯端末装置の可搬性の高さから、携帯端末装置を誤って落下させたり、水没させたりする事故が多数生じるようになっている。このような状況になると、携帯端末装置内のＨＤＤが破損してしまう場合が多いため、ＨＤＤに保存されているデータが壊れてしまい、データを復旧することが困難になってしまうという問題があった。
【０００４】
このような問題を回避するために、インターネットを介して接続されたデータベースが構築されたサーバに、携帯端末装置に保存された情報を定期的に送信して保存し、自動的にデータのバックアップを行う携帯端末装置が提案されている（例えば、特許文献１参照）。
【０００５】
特許文献１に記載された提案によれば、携帯端末装置に保存された全てのデータを自動的かつ定期的にサーバにバックアップするように構成されている。しかしながら、携帯端末装置内のＨＤＤの容量の増大に伴い、ＨＤＤに保存されるデータ量も増加の一途を辿っており、全てのデータをバックアップしていると、データのバックアップに要する時間が増大してしまい、消費電力の増大を招くという問題があった。また、HDDの全てのデータを携帯電話経由でサーバに送信すると、通信時間が長くなるために通信料金が高くなってしまい、通信コストの増大を招くという問題もあった。
【特許文献１】特開２００３−７８６３６号公報（図１）
【発明の開示】
【発明が解決しようとする課題】
【０００６】
本発明は、以上の点に鑑みてなされたもので、携帯端末装置内のＨＤＤに保存されたデータを携帯端末装置外部のサーバに送信してデータをバックアップする際に、バックアップ時間を短縮し、かつ、消費電力と通信コストとを低減することができる、携帯端末装置を提供することを目的とする。
【課題を解決するための手段】
【０００７】
本発明の一形態に係る携帯端末装置は、データを保存するハードディスクと、前記ハードディスクに保存された前記データを無線により定期的に送信することが可能な無線ＬＡＮ通信部とを備え、前記無線ＬＡＮ通信部から最後に送信された送信済みデータから更新されており、かつ、バックアップ対象として指定された前記ハードディスクに保存されている保存データのみを前記無線ＬＡＮ通信部から送信することを特徴とする。
【発明の効果】
【０００８】
携帯端末装置内のＨＤＤに保存されたデータを携帯端末装置外部のサーバに送信してデータをバックアップする際に、バックアップ時間を短縮し、かつ、消費電力と通信コストとを低減することができる携帯端末装置を実現することができる。
【発明を実施するための最良の形態】
【０００９】
以下、図面を参照して本発明の実施の形態を説明する。
【００１０】
（第１の実施の形態）
始めに、本発明の第１の実施の形態に係わる携帯端末装置１の構造について、図１を用いて説明する。図１は、本発明の第１の実施の形態に係わる携帯端末装置１の構造を説明する概略ブロック図である。
【００１１】
本実施の形態における携帯端末装置１は、携帯端末装置１全体の制御を行う携帯端末制御部２と、アンテナ３ａ〜３ｆを介して外部機器とのデータ通信を行う送受信部４と、送受信部４で受信したデータなどを保存するＨＤＤ５とを有している。また、携帯端末装置１は、入力装置としてのキーボード６と、表示装置としてのディスプレイ７と、計時装置としてのリアルタイムクロック（以下、ＲＴＣと示す）８と、スピーカ９と、マイク１０と、カメラ１１と、メモリ部１２とも有しており、これらは携帯端末制御部２と電気的に接続されている。
【００１２】
送受信部４は、通常の通話などセルラ方式で音声データの送受信を行うセルラ通信制御部４ａと、無線ＬＡＮ基地局２１内に設けられたサーバ２２との間で画像データなど種々のデータの送受信を行う無線ＬＡＮ通信制御部４ｂと、Ｂｌｕｅｔｏｏｔｈ（登録商標）通信機能を用いて相手の端末との間で電子決済などを行うＢＴ制御部４ｃとを有する。また、送受信部４は、デジタルＴＶの画像データを受信するデジタルＴＶ受信制御部４ｄと、自身の位置情報を取得するためにＧＰＳ（Ｇｌｏｂａｌ  Ｐｏｓｉｔｉｏｎｉｎｇ  Ｓｙｓｔｅｍ）信号を受信するＧＰＳ制御部４ｅと、ラジオの音声データを受信するラジオ受信制御部４ｆとも有する。
【００１３】
送受信部４を構成する各制御部４ａ〜４ｆは、携帯端末制御部２と電気的に接続されており、ＨＤＤ制御部１３を介して携帯端末制御部２と電気的に接続されたＨＤＤ５に対し、アンテナ３ａ〜３ｆを介して外部から受信したデータを送信して蓄積できるように構成されている。なお、携帯端末制御部２にはメモリ部１２も電気的に接続されているので、アンテナ３ａ〜３ｆを介して外部から受信したデータは、各制御部４ａ〜４ｆ、携帯端末制御部２を介してメモリ部１２に蓄積することもできる。
【００１４】
ただし、メモリ部１２は、ＳＤＲＡＭやＦｌａｓｈメモリなど記憶容量の小さい半導体メモリで構成されているため、音声データなど容量の小さいデータしか蓄積することができない。一方、ＨＤＤ５は記憶容量が大きいため、アンテナ３ｆ、デジタルＴＶ受信制御部４ｄ、携帯端末制御部２を介して外部から受信したデジタルＴＶ画像データや、アンテナ３ｂ、無線ＬＡＮ通信制御部４ｂ、携帯端末制御部２を介して無線ＬＡＮ基地局２１内に設けられたサーバ２２から受信した各種画像データ、カメラ１１で撮影され、カメラ制御部１４、携帯端末制御部２を介して受信したカメラ画像データなど、容量の大きなデータを蓄積することができる。
【００１５】
ＨＤＤ５に蓄積したデータは、定期的に、ＨＤＤ制御部１３、携帯端末制御部２を介して無線ＬＡＮ通信制御部４ｂへ送信される。無線ＬＡＮ通信制御部４ｂで受信したデータは、定期的にアンテナ３ｂを介して無線ＬＡＮ基地局２１に送信され、アンテナ２５を介して無線ＬＡＮ基地局２１内に設けられたサーバ２２に保存される。なお、無線ＬＡＮ通信制御部４ｂとアンテナ３ｂとは、無線ＬＡＮ通信部に相当する。サーバ２２に保存されたデータは、無線ＬＡＮ基地局２１と電気的に接続されたインターネット網２３を介してパソコン２４から取り出すことができる。
【００１６】
すなわち、本実施の携帯の携帯端末装置１は、ＨＤＤ５に蓄積されたデータを外部の無線ＬＡＮ基地局２１内に設けられたサーバ２２に保存・バックアップすることができ、携帯端末装置１を落下させるなどしてＨＤＤ５を破損してしまった場合にも、サーバ２２からデータを取得することができるため、データの復旧を容易に行うことができる。
【００１７】
キーボード６は、携帯端末制御部２と電気的に接続されており、数字キーや文字キー、各種機能キーなどを有して構成され、電話番号や文字などの入力など、使用者が携帯端末装置１に対して各種の操作指示を行うために主に使用される。ディスプレイ７は、キーボード６から入力されたデータや、動作中の機能の状態、ＨＤＤ５やメモリ部１２に蓄積された各種データなどを表示するものであり、携帯端末制御部２と電気的に接続されている。
【００１８】
スピーカ９は、スピーカ制御部１５を介して携帯端末制御部２と電気的に接続されており、携帯端末制御部２を介して受信した音声データを音に変換して出力する。マイク１０はマイク制御部１６を介して携帯端末制御部２と電気的に接続されており、使用者などにより外部から入力された音を音声データに変換して携帯端末制御部２に送信する。
【００１９】
次に、上述した携帯端末装置１において、ＨＤＤ５に蓄積されたデータを無線ＬＡＮ基地局２１内に設けられたサーバ２２に保存・バックアップする具体的な方法について、図２を用いて説明する。図２は、本発明の第１の実施の形態に係わるＨＤＤ５に蓄積されたデータを無線ＬＡＮ基地局２１内に設けられたサーバ２２に送信する手順を説明するフローチャートである。
【００２０】
まず、ステップＳ１において、ＨＤＤ５にデータを蓄積する。このとき、蓄積するデータには、携帯端末装置１外部の無線ＬＡＮ基地局２１内に設けられたサーバ２２に送信し、バックアップ・保存するデータだけでなく、一時的に保存が必要なデータや、ＨＤＤ５が破損した場合には復元する必要までは至らない、重要度の低いデータが含まれていてよい。
【００２１】
次に、ステップＳ２に進み、携帯端末装置１から無線ＬＡＮ基地局２１に対し、最後にバックアップ・保存用のデータを送信してから、所定の設定時間が経過したか否かを判定する。所定の設定時間が経過していないと判定した場合、ステップＳ２の処理を繰り返し行う。所定の設定時間が経過したと判定した場合、ステップＳ３に進む。
【００２２】
なお、ステップＳ２における所定の設定時間は、使用者が事前に任意の時間を携帯端末装置１に登録することができる。設定時間が短いほど、無線ＬＡＮ基地局２１に対するデータの送信頻度が高くなるため、データの紛失をより確実に防ぐことができる。
【００２３】
続いて、無線ＬＡＮ基地局２１内のサーバ２２にバックアップするデータを抽出するために、ＨＤＤ５に保存されているデータについて、バックアップ要否を検討する。本実施の形態においては、ファイル単位でバックアップ要否が判定され、バックアップが必要であると判定されたファイルについてはＨＤＤ５からＨＤＤ制御部１３、携帯端末制御部２、無線ＬＡＮ通信制御部４ｂ、無線回線アンテナ３ｂを介して無線ＬＡＮ基地局２１のアンテナ２５へ送信される。
【００２４】
まず、ステップＳ３において、ＨＤＤ５に保存されているファイルから、バックアップ要否未検討のファイルを１つ選択する。次に、ステップＳ４において、ステップＳ３で選択されたファイルが、最後にデータをバックアップした日時よりも後に更新されているか否かを判定する。例えば図３に示すような、ファイルの基本情報を保持するメタファイルをＨＤＤ５に作成しておき、ＨＤＤ５に新たにファイルが追加・保存される、もしくは既存のファイルが更新されるたびに、メタファイルにレコードを追加する。図３は、ＨＤＤ５に保存されたファイルの基本情報を保持するメタファイルの一例を示す図である。
【００２５】
図３に示すメタファイルは、ファイル名、重要度、更新日時の３項目からなるファイルであり、重要度は、バックアップが必要であることを示す丸印、もしくはバックアップが不要であることを示すバツ印のいずれかが選択されて登録される。まず、メタファイルから、ステップＳ３で選択されたファイルを抽出する。複数のレコードが抽出された場合、更新日時が最も新しいレコードのみを更に抽出する。
【００２６】
抽出したレコードの更新日時と、最後にデータをバックアップした日時を比較し更新日時が最終バックアップ日時より前である場合、ステップＳ８に進む。一方、ステップＳ４において、抽出したレコードの更新日時が最終バックアップ日時以降である場合、ステップＳ５に進み、ステップＳ３で選択したファイルの重要度が高い、すなわち、バックアップが必要であるか否かを判定する。
【００２７】
具体的には、例えば、ステップＳ４において抽出したレコードの重要度が丸印である場合、当該ファイルはバックアップ必要であると判定し、重要度がバツ印である場合、当該ファイルはバックアップ不要であると判定する。なお、ファイルの重要度は随時変更することができ、重要度が変更された場合はファイルが更新されたものとして新規にメタファイルにレコードが追加される。
【００２８】
ステップＳ５において、ファイルの重要度が低いと判定された場合、ステップＳ８に進む。一方、ステップＳ５において、ファイルの重要度が高いと判定された場合、ステップＳ６に進み、無線ＬＡＮの基地局２１のあるホットスポットを探査する。続くステップＳ７において、携帯端末装置１が基地局２１のホットスポットに入っている場合、ステップＳ８に進み、ＨＤＤ５に保存されている当該ファイル、すなわち、ステップＳ３で選択されたファイルのデータを無線ＬＡＮ基地局２１へ送信する。送信されたデータは、続くステップＳ９において、無線ＬＡＮ基地局２１内のサーバ２２に保存される。一方、ステップＳ７において、携帯端末装置１がホットスポットに入っていない場合、ステップＳ６に戻り、ホットスポットの探査を継続する。
【００２９】
ファイルの保存・バックアップを終了すると、ステップＳ１０に進み、ＨＤＤ５に保存されている全てのファイルに関してバックアップ要否を検討したか否かを判定する。ステップＳ１０において、バックアップ要否未検討のファイルがあると判定された場合、ステップＳ１１に進み、未検討ファイルから１つのファイルを次の検討対象として選択し、ステップＳ４に戻ってバックアップ要否を検討する。
【００３０】
一方、ステップＳ１０において、全てのファイルに関してバックアップ要否を検討したと判定された場合、ＨＤＤ５から無線ＬＡＮ基地局２１へのデータの送信・バックアップを終了する。
【００３１】
このように、本実施の形態においては、ＨＤＤ５に保存されているファイルについて、それぞれのファイルごとにバックアップ要否を表す重要度が設定されており、重要度が高いファイルのみ無線ＬＡＮ基地局２１に設けられたサーバ２２に送信してデータをバックアップすることで、バックアップ時間を短縮し、消費電力の低減を図ることができる。また、HDD５に保存されているファイルを携帯電話経由でなく、無線LANを利用してサーバ２２に送信してバックアップすることで、通信コストの低減を図ることができる。
【００３２】
なお、上述のように、ファイルの順序を問わず、重要度の高いファイルが抽出される都度バックアップを行うのではなく、ＨＤＤ５に保存されたファイルの基本情報としてバックアップの優先度が設定できるようにしておき、優先度の高いファイルから順次無線ＬＡＮ基地局２１に送信するように構成してもよい。優先度はファイルごとに設定してもよいし、アプリケーションごとに設定してもよい。（例えば、画像ファイル、音声ファイルの優先度を高く、テキストファイルの優先度を低く設定する、など。）
ファイルごとに優先度を設定する場合、メタファイルの項目に追加してもよいし、優先度とファイルとの関連を表すファイルを新たに作成してもよい。なお、例えばメールソフトにおけるメッセージのフラグのように、ファイルごとに優先度に対応する属性が付与され、すでに情報として保持している場合、優先度に関する項目やファイルとの対応関係を表すファイルを作成する必要はなく、この情報を優先度として使用してもよい。アプリケーションごとに優先度を設定する場合、メタファイルの項目にアプリケーションを示す項目を追加し、アプリケーションと優先度との関連を表すファイルを新たに作成してもよい。
【００３３】
また、本実施の形態においては、あらかじめ設定された時間間隔でバックアップを行うようにしたが、具体的なバックアップ日時を予め指定しておき、ＲＴＣ８の計時機能を用いて設定された日時になった場合にデータをバックアップするようにしてもよい。すなわち、最後にデータをバックアップしてから、例えば６時間経過する都度次のバックアップを行うのではなく、例えばＹＹ年ＭＭ月ＤＤ日１２時００分００秒になったらバックアップを行うように設定することも可能である。更に、バックアップの時間間隔と、具体的なバックアップ時間との両方を設定することも可能である。
【００３４】
また、本実施の形態においては、無線ＬＡＮを用いてデータをバックアップしているが、バックアップ対象ファイルを抽出し、データを基地局２１に送信するときのみ無線ＬＡＮ機能をＯＮにするようにしてもよい。
【００３５】
具体的には、図４のフローチャートに示すように、ステップＳ２１〜ステップＳ２５において、図１のステップＳ１〜ステップＳ５と同様にしてバックアップ対象ファイルを抽出した後、ステップＳ２６において、無線ＬＡＮ機能をＯＮにする。図４は、本発明の第１の実施の形態に係わるＨＤＤ５に蓄積されたデータを無線ＬＡＮ基地局２１内に設けられたサーバ２２に送信する別の手順を説明するフローチャートである。
【００３６】
続いてステップＳ２７〜ステップＳ３０において、図１のステップＳ６〜ステップＳ９と同様にして基地局２１に対象ファイルのデータをバックアップする。続くステップＳ３１において、全てのファイルに関してバックアップ要否を検討したと判定された場合、ステップＳ３３において無線ＬＡＮ機能をＯＦＦにし、ＨＤＤ５から無線ＬＡＮ基地局２１へのデータの送信・バックアップを終了する。なお、引き続き別の目的・用途で無線ＬＡＮを使用する場合、ステップＳ３３は省略し、無線ＬＡＮ機能をＯＮにしたままでバックアップを終了してもよい。
【００３７】
このように、データをバックアップする間のみ無線ＬＡＮ機能をＯＮにすることで、消費電力の更なる低減を図ることができる。
【００３８】
更に、図５に示すように、無線ＬＡＮ基地局２１と電気的に接続されたインターネット網２３に、コンテンツバックアップデータベースを併設した携帯電話網の個人データベース（位置情報並びにユーザ情報に関するデータベース）２５を接続すれば、携帯端末装置１のデータを、無線ＬＡＮからＩＰ網経由でコンテンツバックアップデータベースにバックアップしたり読み出したりすることも可能である。
【００３９】
（第２の実施の形態）
次に、本発明の第２の実施の形態に係わる携帯端末装置について説明する。本実施の携帯端末装置の構成は、図１を用いて説明した第１の実施の形態の携帯端末装置１と同様であるため、同一の構成要素については、同一の符号を付して説明を省略する。
【００４０】
第１の実施の形態の携帯端末装置１では、ＨＤＤ５に保存されているファイルのうち、前回のバックアップ時よりも後にデータが更新されており、かつ重要度の高いファイルをすべてバックアップしているが、本実施の形態においては、前回のバックアップ時におけるデータと、次のバックアップ時点においてＨＤＤ５に保存されているデータとを比較し、差分データのみをバックアップする点が異なっている。
【００４１】
すなわち、本実施の形態では、前回のバックアップ時点からデータが更新されたファイルについて、次のバックアップにおいてファイル全体を送信するのではなく、差分のみを送信するように構成しているため、送信するデータ量を更に削減することができるため、バックアップ時間をより短縮することができ、消費電力をより低減することができる。
【００４２】
本実施の携帯における携帯端末装置において、ＨＤＤ５に蓄積されたデータを無線ＬＡＮ基地局２１内に設けられたサーバ２２に保存・バックアップする具体的な方法について、図６を用いて説明する。図６は、本発明の第２の実施の形態に係わるＨＤＤ５に蓄積されたデータを無線ＬＡＮ基地局２１内に設けられたサーバ２２に送信する手順を説明するフローチャートである。
【００４３】
まず、ステップＳ４１においてＨＤＤ５にデータを蓄積し、引き続きステップＳ４２において、携帯端末装置１から無線ＬＡＮ基地局２１に対し、最後にバックアップ・保存用のデータを送信してから、所定の設定時間が経過したか否かを判定する。所定の設定時間が経過していないと判定した場合、ステップＳ１２の処理を繰り返し行う。所定の設定時間が経過したと判定した場合、ステップＳ１３に進む。なお、ステップＳ４１，ステップＳ４２の処理は、図２を用いて説明した第１の実施の形態におけるステップＳ１，ステップＳ２の処理と同様の処理である。
【００４４】
続いて、無線ＬＡＮ基地局２１内のサーバ２２にバックアップするデータを抽出するために、ＨＤＤ５に保存されているデータについて、バックアップ要否を検討する。本実施の形態においては、ファイル単位でバックアップ要否が判定され、バックアップが必要であると判定されたファイルについては、最後にデータをバックアップしてから更新されたデータ部分、すなわち差分データのみが、ＨＤＤ５からＨＤＤ制御部１３、携帯端末制御部２、無線ＬＡＮ通信制御部４ｂ、無線回線アンテナ３ｂを介して無線ＬＡＮ基地局２１のアンテナ２５へ送信される。
【００４５】
まず、ステップＳ４３において、ＨＤＤ５に保存されているファイルから、バックアップ要否未検討のファイルを１つ選択する。次に、ステップＳ１４において、ステップＳ４３で選択されたファイルのデータ（以下、保存データと示す）が、当該ファイルに関し、最後に無線ＬＡＮ基地局２１のサーバ２２へ送信されバックアップされたデータ（以下、最終バックアップ済みデータと示す）と一致するか否かを判定する。
【００４６】
なお、保存データと比較される最終バックアップデータは、サーバ２２から取得してもよいし、無線ＬＡＮ基地局２１にデータを送信する際にＨＤＤ５にも同じデータを保存しておき、該データを用いてもよいが、後者のほうがよりバックアップ時間を短縮し、消費電力をより低減することができるため、望ましい。
【００４７】
ステップＳ４４において、ステップＳ４３で選択されたファイルに関し、保存データと最終バックアップ済みデータとが一致すると判定された場合、ステップＳ５１に進む。一方、ステップＳ４４において、保存データと最終バックアップ済みデータとが一致しないと判定された場合、ステップＳ４５に進み、ステップＳ４３で選択したファイルの重要度が高い、すなわち、バックアップが必要であるか否かを判定する。具体的には、例えば図２を用いて説明した第１の実施の形態におけるステップＳ５と同様に、メタファイルの重要度を参照してバックアップ要否を判定することができる。
【００４８】
ステップＳ４５において、ファイルの重要度が低いと判定された場合、ステップＳ５１に進む。一方、ステップＳ４５において、ファイルの重要度が高いと判定された場合、ステップＳ４６に進み、無線ＬＡＮの基地局２１のあるホットスポットを探査する。続くステップＳ４７において、携帯端末装置が基地局２１のホットスポットに入っている場合、ステップＳ４８に進み、ＨＤＤ５に保存されている当該ファイル、すなわち、ステップＳ４３で選択されたファイルの保存データと、当該ファイルに関する最終バックアップ済みデータとの差分データを無線ＬＡＮ基地局２１へ送信する。送信されたデータは、続くステップＳ４９において、無線ＬＡＮ基地局２１内のサーバ２２に保存される。一方、ステップＳ４７において、携帯端末装置１がホットスポットに入っていない場合、ステップＳ４６に戻り、ホットスポットの探査を継続する。
【００４９】
次に、ステップＳ５０に進み、無線ＬＡＮ基地局２１内のサーバ２２に保存されているデータ、すなわち、その時点においてＨＤＤ５に保存されているデータ（保存データ）を、最終バックアップ済みデータとしてアップデートする。なお、ステップＳ４３において、最終バックアップデータを逐次サーバ２２から取得する場合、本ステップは省略される。
【００５０】
ファイルの保存・バックアップを終了すると、ステップＳ５１に進み、ＨＤＤ５に保存されている全てのファイルに関してバックアップ要否を検討したか否かを判定する。ステップＳ５１において、バックアップ要否未検討のファイルがあると判定された場合、ステップＳ５２に進み、未検討ファイルから１つのファイルを次の検討対象として選択し、ステップＳ４４に戻ってバックアップ要否を検討する。
【００５１】
一方、ステップＳ５１において、全てのファイルに関してバックアップ要否を検討したと判定された場合、ＨＤＤ５から無線ＬＡＮ基地局２１へのデータの送信・バックアップを終了する。
【００５２】
このように、本実施の形態においては、ＨＤＤ５に保存されているファイルについて、重要度が高いファイルのみ、最後にバックアップしたデータとの差分データのみを抽出して無線ＬＡＮ基地局２１に設けられたサーバ２２に送信し、データをバックアップすることで、バックアップ時間を更に短縮し、消費電力の更なる低減を図ることができる。
【００５３】
なお、本実施の形態においても、第１の実施の形態と同様に、重要度の高いファイルが抽出される都度バックアップを行うのではなく、優先度の高いファイルから順次無線ＬＡＮ基地局２１に送信するように構成してもよい。また、あらかじめ設定された時間間隔でバックアップを行うようにしたが、具体的なバックアップ日時を予め指定しておき、ＲＴＣ８の計時機能を用いて設定された日時になった場合にデータをバックアップするようにしてもよい。更に、バックアップ対象ファイルを抽出し、データを基地局２１に送信するときのみ無線ＬＡＮ機能をＯＮにするようにしてもよい。
【図面の簡単な説明】
【００５４】
【図１】本発明の第１の実施の形態に係わる携帯端末装置１の構造を説明する概略ブロック図。
【図２】本発明の第１の実施の形態に係わるＨＤＤ５に蓄積されたデータを無線ＬＡＮ基地局２１内に設けられたサーバ２２に送信する手順を説明するフローチャート。
【図３】ＨＤＤ５に保存されたファイルの基本情報を保持するメタファイルの一例を示す図。
【図４】本発明の第１の実施の形態に係わるＨＤＤ５に蓄積されたデータを無線ＬＡＮ基地局２１内に設けられたサーバ２２に送信する別の手順を説明するフローチャート。
【図５】携帯端末装置１のデータの送信先の別の構成を説明する概略ブロック図。
【図６】本発明の第２の実施の形態に係わるＨＤＤ５に蓄積されたデータを無線ＬＡＮ基地局２１内に設けられたサーバ２２に送信する手順を説明するフローチャート。
【符号の説明】
【００５５】
１…携帯端末装置、２…携帯端末制御部、３ａ〜３ｆ…アンテナ、４…送受信部、４ａ…セルラ通信制御部、４ｂ…無線ＬＡＮ通信制御部、４ｃ…ＢＴ制御部、４ｄ…ＴＶ受信制御部、４ｅ…ＧＰＳ制御部、４ｆ…ラジオ受信制御部、５…ＨＤＤ、６…キーボード、７…ディスプレイ、８…リアルタイムクロック、９…スピーカ、１０…マイク、１１…カメラ、１２…メモリ部、１３…ＨＤＤ制御部、１４…カメラ制御部、１５…スピーカ制御部、１６…マイク制御部、
【図１】
2008147787.tif 000003
【図２】
2008147787.tif 000004
【図３】
2008147787.tif 000005
【図４】
2008147787.tif 000006
【図５】
2008147787.tif 000007
【図６】
2008147787.tif 000008